(57)【特許請求の範囲】
【請求項１】
画像情報を基にホログラフィックステレオグラムをプリントアウトするホログラムプリントシステムにおいて、
ホログラム化する画像情報ファイルと、その画像情報ファイルに関する管理情報を格納している管理情報ファイルとを提供する情報ファイル提供手段と、
上記情報ファイル提供手段から提供された上記画像情報ファイルに基づくホログラムの一部に、上記管理情報ファイルに基づく管理情報を重ねて合成画像ファイルを生成する画像処理手段と、
上記画像処理手段で生成された合成画像ファイルに基づいてホログラフィックステレオグラムをプリントアウトするプリント手段とを備え、
上記画像処理手段は、上記ホログラフィックステレオグラムの視域の周辺部から所定の範囲内でのみ上記管理情報を表示させるように上記管理情報ファイルに基づく管理情報を上記画像情報ファイルに重ねて合成画像ファイルを生成する
ホログラムプリントシステム。
【請求項２】
上記所定の範囲は視域の周辺から角度１５度以内とする請求項１記載のホログラムプリントシステム。
【請求項３】
上記管理情報ファイルは、上記画像情報の元になる画像を撮影したときの撮影条件や撮影情報、上記画像情報の属性に関する情報、又は撮影時に指定した指標、或いは上記画像情報の付加情報である請求項１記載のホログラムプリントシステム。
【請求項４】
画像情報を基にホログラムプリントシステムによってプリントアウトされたホログラフィックステレオグラムにおいて、
管理情報ファイルに格納されている、ホログラム化される画像情報ファイルに関する管理情報を、上記ホログラフィックステレオグラムの視域の周辺部から所定の範囲内でのみ表示させるように、上記画像情報ファイルにしたがって生成されるホログラムの一部に重ねて表示させる
ホログラフィックステレオグラム。
【請求項５】
上記所定の範囲は視域の周辺から角度１５度以内とする請求項４記載のホログラフィックステレオグラム。
【発明の詳細な説明】
【０００１】
【発明の属する技術分野】
本発明は、画像情報を基にホログラフィックステレオグラムをプリントアウトするホログラムプリントシステム及びこのホログラムプリントシステムによってプリントアウトされたホログラフィックステレオグラムに関する。
【０００２】
【従来の技術】
ホログラフィックステレオグラムは、例えば、被写体を異なる観察点から順次撮影することにより得られた多数の画像を原画として、これらを１枚のホログラム用記録媒体に短冊状又はドット状の要素ホログラムとして順次記録することにより作成される。
【０００３】
例えば、横方向のみに視差情報を持つホログラフィックステレオグラムを作成する際は、図８に示すように、先ず、被写体１００を横方向の異なる観察点から順次撮影することにより、横方向の視差情報を有する複数の画像からなる視差画像列１０１を得る。そして、この視差画像列１０１を構成する各画像１０２を、短冊状の要素ホログラムとしてホログラム用記録媒体１０３に横方向に連続するように順次記録する。これにより、横方向に視差情報を持つホログラフィックステレオグラムが得られる。
【０００４】
このホログラフィックステレオグラムでは、横方向の異なる観察点から順次撮影することにより得られた複数の画像１０２の情報が、短冊状の要素ホログラムとして横方向に連続するように順次記録されているので、このホログラフィックステレオグラムを観察者が両目で見たとき、その左右の目にそれぞれ写る２次元画像は異なるものとなる。これにより、観察者は視差を感じることとなり、３次元画像が再生されることとなる。
この他にも、ホログラフィックステレオグラムを用いた立体画像表示技術は数多く報告されてきた。また、ホログラフィックステレオグラムを作成するためのプリンターシステム等の報告もある（A.Shirakura;N.Kihara;S.Baba:"Instant   holographic portrait printing system",Proc.SPIE Vol.3293,p.246-253,    Practical Holography XII）。
【０００５】
また、このようなホログラフィックステレオグラムプリントシステムの応用例として、撮影システムのみをさまざまな場所に設置し、プリンター本体は一箇所に集約してデータのみを撮影システムから転送し、プリントアウトするような形態も考えられる。
【０００６】
上記のように、撮影装置とプリンターが同じ場所にある場合も、また離れた場所にある場合も、撮影した画像データとプリントアウトされたホログラムの間に確実な対応が取れていることが運営上重要になってくる。
【０００７】
例えば、離れた場所で画像データを撮影して、そのホログラムを後日郵送するサービスを考えた場合、その顧客の画像データとともに送付先などの顧客情報が送られてくることが必要であるが、さらにプリントアウトしたホログラムがどの顧客のものであったかが判別できることが望ましい。
【０００８】
【発明が解決しようとする課題】
ところで、ホログラムプリンターで用いられる記録材料は透明のフィルム状の媒体であることが多く、裏面に情報を記入しておくことが出来ない。また、それ以外の方法として例えばホログラムフィルム状の画像のない部分に、光学的もしくはインクなどを使って情報を記録することも可能であるが、そのための機能をホログラムプリントシステムに追加しなければならず、効率的ではない。
【０００９】
本発明は、上記実情に鑑みてなされたものであり、プリントアウトしたホログラムの管理が容易となるホログラムプリントシステム及びこのホログラムプリントシステムで作成されるホログラフィックステレオグラムの提供を目的とする。
【００１０】
【課題を解決するための手段】
本発明に係るホログラムプリントシステムは、上記課題を解決するために、画像情報を基にホログラフィックステレオグラムをプリントアウトするホログラムプリントシステムにおいて、ホログラム化する画像情報ファイルと、その画像情報ファイルに関する管理情報を格納している管理情報ファイルとを提供する情報ファイル提供手段と、上記情報ファイル提供手段から提供された上記画像情報ファイルに基づくホログラムの一部に、上記管理情報ファイルに基づく管理情報を重ねて合成画像ファイルを生成する画像処理手段と、上記画像処理手段で生成された合成画像ファイルに基づいてホログラフィックステレオグラムをプリントアウトするプリント手段とを備え、上記画像処理手段は、上記ホログラフィックステレオグラムの視域の周辺部から所定の範囲内でのみ上記管理情報を表示させるように上記管理情報ファイルに基づく管理情報を上記画像情報ファイルに重ねて合成画像ファイルを生成する。
【００１１】
このホログラムプリントシステムにおける、上記画像処理手段は、上記ホログラフィックステレオグラムの視域の周辺部から所定の範囲内でのみ上記管理情報を表示させるように上記管理情報ファイルに基づく管理情報を上記画像情報ファイルに重ねて合成画像ファイルを生成する。
【００１２】
このように、上記ホログラムプリントシステムは、ホログラム内の視野角の周辺部分に情報を記録する。すなわち、ホログラムの視域の大部分では管理情報ファイルの内容は認識できないが、最周辺部から見た場合のみ管理情報ファイルの内容がホログラム上に見えてくるように画像情報ファイルの内容と管理情報ファイルの内容を画像処理により合成する。
【００１３】
また、本発明に係るホログラフィックステレオグラムは、上記課題を解決するために、画像情報を基にホログラムプリントシステムによってプリントアウトされたホログラフィックステレオグラムにおいて、管理情報ファイルに格納されている、ホログラム化される画像情報ファイルに関する管理情報を、上記ホログラフィックステレオグラムの視域の周辺部から所定の範囲内でのみ表示させるように、上記画像情報ファイルにしたがって生成されるホログラムの一部に重ねて表示させる。
【００１４】
このホログラフィックステレオグラムでも、視域の周辺部から所定の範囲内でのみ上記管理情報を表示させる。
【００１５】
【発明の実施の形態】
以下、本発明を適用した具体的な実施の形態について、図面を参照しながら説明する。なお、本発明は以下の例に限定されるものではなく、本発明の要旨を逸脱しない範囲で任意に構成を変更することが可能である。
【００１６】
先ず、図１に示すホログラムプリントシステム１について説明する。このホログラムプリントシステム１は、ホログラム用の原画像を撮影し、画像情報ファイルＦpを提供するとともに、その画像情報ファイルＦpに関する管理情報を格納する管理情報ファイルＦmを提供する情報ファイル提供手段である一つの撮影系２と、伝送系３ａを介して上記一つの撮影系２から提供された上記画像情報ファイルＦpと上記管理情報ファイルＦmの管理情報に所定の画像処理を施して合成画像ファイルＦsを生成する画像処理部４と、画像処理部４で生成された合成画像ファイルＦsを伝送路３ｂを介して受け取り、この合成画像ファイルＦsに基づくホログラフィックステレオグラムをプリントアウトするホログラムプリンタ５とを備えている。
【００１７】
撮影系２としては例えば撮影トラック上を直線状に移動するカメラで被写体を撮影したり、或いは回転状態での撮影、パンニング状態での撮影等が可能な構成である。ここでは、図１に示すように、被写体Ｍに向けたカメラ２ｂをその方向を一定に保持したまま撮影トラック２ａ上を平行に動かして、異なる位置から被写体Ｍを多数撮影することによって原画像が得られる撮影系２を用いる。撮影系２は利用者の操作に応じた撮影系制御部２ｃによって制御され、原画像の画像情報ファイルには撮影系制御部２ｃによって生成された管理情報ファイルＦｍが付加される。管理情報ファイルＦｍには、識別番号などを主な構成要素とする、原画像に関する各種管理情報が記述されている。詳細については後述するが、撮影系２によって原画像を撮影したときの撮影条件や撮影情報、上記画像情報の属性に関する情報、又は撮影時に指定した指標、或いは上記画像情報の付加情報が記述されている。
【００１８】
撮影系２の撮影系制御部２ｃが上記画像情報ファイルＦｐとともに生成する管理情報ファイルＦｍの詳細について以下に説明する。撮影系制御部２ｃは、操作部を備え、利用者による所望の選択、例えば撮影方式の選択や、画像サイズの選択や、撮影レイアウトの選択に応じてカメラ２ｂの動作等を制御すると共にその制御情報を基に上記原画像に関する管理情報ファイルを生成する。この管理情報ファイルに含まれる管理情報の具体例について図２及び後述の表１を参照しながら説明する。
【００１９】
先ず、管理情報としては、図２に示すように、４バイトの画像データ識別IDと、４２バイトの撮影情報と、３３バイトのアプリケーション（ＡＰＬ）情報と、２バイトの合成画像情報と、１３０バイトの文字情報と、２バイトのプリント枚数情報を挙げることができる。
【００２０】
【表１】
0004501228.tif 000002
【００２１】
画像データ識別IDは、撮影系２のカメラ２ｂによって撮影された画像データを識別するためのIDである。通常、連続した番号を割り振る。
【００２２】
撮影情報は、例えばカメラ２ｂによって被写体Ｍを撮影したときの撮影系２の条件等に関する情報である。具体的には、上記表１に示したように、撮影時間、撮影距離、撮影方式、撮影角度、撮影トラック長、撮影画像サイズ、撮影画像解像度、撮影日時、撮影レイアウト、撮影ソース、撮影シャッタースピードを挙げることができる。撮影時間には２バイトを割り当て、１バイト目で２桁の整数部、２バイト目で少数点以下２桁を表す。例えば、0725hは7.25秒撮影したことを表す。撮影距離は４バイトの整数（mm）で表す。撮影方式はカメラ２ｂを使っての撮影方式を表すものであり、リセンタリング状態での撮影、回転状態での撮影、パンニング状態での撮影、ストレートトラック状態等での撮影を区別する。撮影角度はカメラ２ｂの被写体Ｍに対する撮影角度を２バイトの整数として表す。撮影トラック長は４バイトの整数として表す。撮影画像サイズは８バイトであり、上位４バイトで撮影領域水平方向サイズ（mm)を、下位４バイトで撮影領域垂直方向サイズ(mm)を表す。撮影画像解像度は８バイトであり、上位４バイトで水平解像度（pixel）を、下位４バイトで垂直解像度（pixel）で表す。撮影日時は８バイトのうち１バイトをダミーとし、残りで西暦年、月、日、時、分、秒を表す。撮影レイアウトは１バイトで、縦横についての回転角度を表す。撮影ソースは２バイトであり、カメラ２ｂについて上位１バイトでメーカＩＤを、下位１バイトで機種ＩＤを表す。撮影シャッタースピードについては２バイトを割り当てる。
【００２３】
アプリケーション情報は、アプリケーションＩＤと、アプリケーションファイル名からなる。利用者は、撮影系制御部２ｃの操作部を介してホログラフィックステレオグラムでプリントアウトする画像の種類を指定する。撮影系制御部２ｃは、利用者の指定が３次元プリントなのか、動画プリントなのか、静止画像アルバムプリントなのか、或いは例えばモーフィングのような特殊効果のプリントなのかを判断し、各画像処理用のアプリケーションソフトを内蔵しているソフト格納部から選択してＲＡＭに読みだし実行する。そこで選択したアプリケーションに対して付加したＩＤを１バイトのアプリケーションＩＤとして用意している。アプリケーションファイル名は３２文字以内でASCIIコードにより表現される。アプリケーションＩＤで指定された、各アプリケーションに即したプリントを行うために必要な情報の格納されたファイル名を表す。例えば、静止画像プリントの場合には、アプリケーションファイル名で指定されたファイル内に、プリントする静止画枚数、各静止画像のファイル名が記載される。
【００２４】
合成画像情報は、撮影系２で撮影された原画像と合成するための画像に関する情報である。原画像データの前景もしくは背景に合成する画像番号をそれぞれ１バイトで表す。
【００２５】
文字情報は前景文字コードＩＤ及び背景文字コードＩＤと、前景文字情報及び背景文字情報からなる。前景文字コードＩＤ及び背景文字コードＩＤとしては各１バイトが割り当てられ、下位２ビットで例えばASCII、SJIS、Unicode等の文字コードを指定し、上位６ビットで６４種のフォント種別を指定する。前景文字情報及び背景文字情報は、上記文字コードＩＤにより識別される文字情報を各６４バイトで表し、Null文字を終端文字とする。
【００２６】
プリント枚数情報には２バイトが割り当てられ、ホログラムプリンタ５でプリントアウトするホログラフィックステレオグラムの枚数を表す。
【００２７】
伝送路３ａは上記撮影系２からの画像情報ファイルＦpと管理情報ファイルＦmとを画像処理部４に伝送し、伝送路３ｂは画像処理部４で生成された合成画像ファイルＦsをホログラムプリンタ５に伝送する。
【００２８】
画像処理部４は、上記画像情報ファイルＦpと上記管理情報ファイルＦmとを合成してから、視点変換処理や、キーストン歪補正処理等の所定の画像処理を行い、合成画像ファイルＦsを出力する。
【００２９】
通常のホログラフィックステレオグラムはスライスアンドダイス法と言われる画像処理を行い、立体画像の表示位置についての補正を行っている。このスライスアンドダイス法については、「A.Shirakura;N.Kihara;S.Baba:"Instant       holographic portrait printing system",Proc.SPIE Vol.3293,p.246-253,    Practical Holography XII）」に詳細に記述してある。画像情報ファイルＦpと管理情報ファイルＦmの合成はこのスライスアンドダイス画像処理の前でも後でも可能であるが、ここではスライスアンドダイス画像処理前に合成を行う場合について述べる。この画像処理部４で行われる画像合成法について図３を用いて説明する。被写体Ｍを左側Ｌから右側Ｒに向かって図３（ａ）に示すようにｔ１からｔ１５０の間、例えば５秒間に亘ってカメラＣを動かして撮影したとする。この場合記録される視差画像は図３（ｂ）の画像情報ファイルＦｐに示したように、被写体Ｍの右側面から左側面へのフレームｆｒ１〜ｆｒ１５０となる。
【００３０】
さて、このようにして記録された被写体Ｍの画像情報ファイルＦｐの後半、フレームｆｒ１２６からフレームｆｒ１５０までの２５フレームに図３（ｃ）に示す管理情報ファイルＦｍから生成された管理情報を合成する。図３の例では撮影時間「１４：３０」と通し番号「０１０１１」を合成する場合について示した。画像情報ファイルＦｐと管理情報ファイルＦｍの合成は例えば管理情報ファイルＦｍの管理情報の背景をブルーバックにしてクロマキー合成として良く知られている方法などで行えばよい。このようにして合成された結果を合成情報ファイルＦｓとして示す。
【００３１】
このように合成された合成画像ファイルＦｓ（図３（ｄ））を元画像としてスライスアンドダイス画像処理を施してからホログラムプリンタ５に伝送路３ｂを介して渡す。ホログラムプリンタ５は、スライスアンドダイス画像処理が施された合成画像ファイルＦｓを後述するようにホログラム用記録媒体に記録しホログラフィックステレオグラムを生成する。
【００３２】
図３の例だと視野角の右端の、ある角度部分から観察したときのみ管理情報ファイルＦｍから生成された管理情報を観察することができるようなホログラフィックステレオグラムになる。
【００３３】
図４に示すように、このホログラフィックステレオグラムの横方向からの視野角は（Ａ）方向から（Ｄ）方向までの９０度であるとする。また、管理情報ファイルＦｍから生成した管理情報の見える範囲は、画像情報ファイルＦｐの観察に邪魔にならず、必要なときにのみ情報ファイルから生成した画像が見えるように、例えば、視野角の右端部（Ｄ）方向から１５度（θ）以内と決めることができる。これはフレーム数に直すと、５秒間撮影によるフレーム数１５０のとき、視野角が９０度であるので、１５度は２５フレームに相当する。視野角の右端部（Ｄ）方向から１５度（θ）以内の（Ｃ）方向から見れば上記管理情報が視認できる。
【００３４】
図４の各方向（Ａ），（Ｂ），（Ｃ），（Ｄ）から見たホログラフィックステレオグラムの視認状態を図５に示す。方向（Ａ）からは被写体Ｍの左側面だけが見え、方向（Ｂ）からは被写体Ｍの正面だけが見える。上記θ内に入る方向（Ｃ）からは被写体Ｍと上記管理情報、この場合、撮影時間（１４：３０）と番号（０１０１１）が見える。視野角９０度となる方向（Ｄ）からも被写体Ｍと上記管理情報が見える。
【００３５】
次ぎに、このホログラムプリンタ５について、図６を参照して詳細に説明する。なお、図６（Ａ）は、ホログラムプリンタ５全体の光学系を上から見た図であり、図６（Ｂ）は、ホログラムプリンタ５の光学系の要部を横から見た図である。
【００３６】
ホログラムプリンタ５は、図６（Ａ）に示すように、所定の波長のレーザ光を出射するレーザ光源３１と、レーザ光源３１からのレーザ光Ｌ１の光軸上に配された露光用シャッタ３２及びハーフミラー３３とを備えている。
【００３７】
露光用シャッタ３２は、ホログラム用記録媒体３０を露光しないときには閉じられ、ホログラム用記録媒体３０を露光するときに開かれる。また、ハーフミラー３３は、露光用シャッタ３２を通過してきたレーザ光Ｌ２を、参照光と物体光とに分離するためのものであり、ハーフミラー３３によって反射された光Ｌ３が参照光となり、ハーフミラー３３を透過した光Ｌ４が物体光となる。
【００３８】
ハーフミラー３３によって反射された光Ｌ３の光軸上には、参照光用の光学系として、シリンドリカルレンズ３４と、参照光を平行光とするためのコリメータレンズ３５と、コリメータレンズ３５によって平行光とされた光を反射する全反射ミラー３６とがこの順に配置されている。
【００３９】
そして、ハーフミラー３３によって反射された光は、先ず、シリンドリカルレンズ３４によって発散光とされ、次に、コリメータレンズ３５によって平行光とされる。その後、全反射ミラー３６によって反射され、ホログラム用記録媒体３０に入射する。
【００４０】
一方、ハーフミラー３３を透過した光Ｌ４の光軸上には、図６（Ａ）及び図６（Ｂ）に示すように、物体光用の光学系として、ハーフミラー３３からの透過光を反射する全反射ミラー３８と、凸レンズとピンホールを組み合わせたスペーシャルフィルタ３９と、物体光を平行とするためのコリメータレンズ４０と、記録対象の画像を表示する表示装置４１と、物体光をホログラム用記録媒体３０上に集光させるシリンドリカルレンズ４２とがこの順に配置されている。
【００４１】
そして、ハーフミラー３３を透過した光Ｌ４は、全反射ミラー３８によって反射された後、スペーシャルフィルタ３９によって点光源からの拡散光とされ、次に、コリメータレンズ４０によって平行光とされ、その後、表示装置４１に入射する。ここで、表示装置４１は、例えば液晶パネルからなる透過型の画像表示装置であり、撮影系２から送られた画像データに基づく画像を表示する。そして、表示装置４１を透過した光は、表示装置４１に表示された画像に応じて変調された後、シリンドリカルレンズ４２に入射する。
【００４２】
そして、表示装置４１を透過した光は、シリンドリカルレンズ４２により横方向に集束され、この集束光が物体光としてホログラム用記録媒体３０に入射する。すなわち、このホログラムプリンタ５では、表示装置４１からの投影光が短冊状の物体光としてホログラム用記録媒体３０に入射する。
【００４３】
ここで、参照光及び物体光は、参照光がホログラム用記録媒体３０の一方の主面に入射し、物体光がホログラム用記録媒体３０の他方の主面に入射するようにする。すなわち、ホログラム用記録媒体３０の一方の主面に、参照光を所定の入射角度にて入射させるとともに、ホログラム用記録媒体３０の他方の主面に、物体光をホログラム用記録媒体３０に対して光軸がほぼ垂直となるように入射させる。これにより、参照光と物体光とがホログラム用記録媒体３０上において干渉し、当該干渉によって生じる干渉縞が、ホログラム用記録媒体３０に屈折率の変化として記録される。
【００４４】
また、このホログラムプリンタ５は、ホログラム用記録媒体３０を間欠送りし得る記録媒体送り機構４３を備えている。この記録媒体送り機構４３は、記録媒体送り機構４３に所定の状態でセットされたホログラム用記録媒体３０に対して、上記原画像データに基づく１つの画像が１つの要素画像として記録される毎に、ホログラム用記録媒体を１要素ホログラム分だけ間欠送りする。これにより、原画像データに基づく画像が、要素画像として、ホログラム用記録媒体３０に横方向に連続するように順次記録される。
【００４５】
このホログラムプリンタ５では、表示装置４１に画像データに基づく露光用画像を表示する。そして、露光用シャッタ３２を所定時間だけ開放することによりホログラム用記録媒体３０が露光される。
【００４６】
このとき、レーザ光源３１から出射され、露光用シャッタ３２を透過したレーザ光Ｌ２のうち、ハーフミラー３３によって反射された光Ｌ３が、参照光としてホログラム用記録媒体３０に入射する。また、ハーフミラー３３を透過した光Ｌ４が、表示装置４１に表示された画像が投影された投影光となり、当該投影光が物体光としてホログラム用記録媒体３０に入射する。これにより、表示装置４１に表示された露光用画像が、ホログラム用記録媒体３０に短冊状の要素画像として記録される。
【００４７】
そして、ホログラム用記録媒体３０への１画像の記録が終了すると、次いで、記録媒体送り機構４３により、ホログラム用記録媒体３０が１要素ホログラム分だけ送られる。
【００４８】
以上の動作を、表示装置４１に表示させる露光用画像を視差画像列順に順次変えて繰り返す。これにより、上記原画像データに基づく露光用画像が、ホログラム用記録媒体３０に短冊状の要素画像として順次記録される。
【００４９】
つまり、ホログラムプリンタ５は、画像処理部４で合成され、上記所定の画像処理が施された合成画像ファイルＦsを伝送路３ｂを介して受け取り、上記画像情報ファイルＦpに基づくホログラムの一部に、上記管理情報ファイルFmに基づく管理情報を重ねて表示させるようにホログラフィックステレオグラムをプリントアウトする。
【００５０】
このため、プリントアウトしたホログラフィックステレオグラムと撮影した画像データとの間に確実な対応関係が取れるので、管理が容易となる。
【００５１】
なお、上記実施の形態では、右端から見たときのみ管理情報が見える例を示したが、左端から見たときだけ見えるようにしてもよい。この場合、管理情報は、例えば図３を用いると、フレームｆｒ１からフレームｆｒ２５までの２５フレーム分を画像情報ファイルに合成すればよい。
【００５２】
また、上記実施の形態では管理情報ファイルを静止画として提示する場合について説明したが、幾つかの情報が角度に応じて変化するようにしておくことも可能である。この場合、例えば図３を用いると、フレームｆｒ１２６から５フレーム分は上記撮影時間と上記番号を、フレームｆｒ１３０から５フレーム分は撮影した撮影装置の番号とプリント枚数を、フレームｆｒ１３５から５フレーム分は撮影距離と撮影方式を、フレームｆｒ１４０から５フレーム分は撮影シャッタスピードを等、５フレーム毎に異なる管理情報を上記画像情報ファイルに合成すればよい。
【００５３】
また、上記実施の形態では画像処理部４にてスライスアンドダイス画像処理前に画像情報ファイルＦｐと管理情報ファイルＦｍを合成する例を示したが、画像情報ファイルＦｐ、管理情報ファイルＦｍをそれぞれ独立にスライスアンドダイス画像処理を行った後に合成してもよい。
【００５４】
また、上記管理情報ファイルは、撮影系制御部２ｃのようなコンピュータ内のファイルである必要は必ずしもなく、例えば画像情報ファイルを記録したビデオテープ内に設けられている音声トラックに記録されている、テキストデータや他のデータを用いても良い。また、ビデオテープ内のタイムコードを画像に付随する管理情報ファイルとして活用してもよい。
【００５５】
次ぎに、本発明の他の実施の形態について図７を参照しながら説明する。この他の実施の形態は、複数の撮影系や、外部データ受理部で得た画像を、ネットワークを介して複数台のホログラムプリンタでホログラム用記録媒体にプリントし、ホログラフィックステレオグラムをプリントアウトするホログラムプリントシステムである。
【００５６】
すなわち、このホログラムプリントシステム１０は、複数ｎの撮影系１１1，１１2，・・・１１nと、複数ｍの外部データ受理部１５1・・・１５mと、複数ｘのホログラムプリンタ１８1，１８2・・・１８xと、これらのホログラムプリンタを制御するホログラムプリンタ制御部１９と、画像処理部２０とをネットワーク１７で接続した構成である。
【００５７】
複数ｎの撮影系１１1，１１2，・・・１１nの内の例えば撮影系１１1は、上記図１に示した撮影系２と同様に、撮影トラック１２1上を移動するカメラ１３1で被写体Ｍ1を撮影したり、或いは回転状態での撮影、パンニング状態での撮影等が可能な構成である。この撮影系１１1は利用者の操作に応じた撮影系制御部１４1によって制御され、原画像には撮影系制御部１４1によって生成された管理情報ファイルが付加される。
【００５８】
撮影系制御部１４1，１４2・・・１４nが生成する管理情報ファイルは上記図２及び表１に示した通りである。ここでは説明を省略する。
【００５９】
外部データ受理部１５1は、デジタルスチルカメラ、デジタルビデオカメラ、アナログビデオ装置などから直接に動画像・複数枚の静止画データを各種外部ネットワーク１６等を通して取り込む。
【００６０】
外部データ受理部１５mは、ＦＤ、ＣＤ−ＲＯＭ、ＤＶＤ、半導体メモリカード等の各種リムーバブルメディアからの動画像・複数枚静止画像データを各種外部ネットワーク１６等を通して取り込む。
【００６１】
複数ｘのホログラムプリンタ１８1，１８2・・・１８xの内の例えばホログラムプリンタ１８1は、上記図６に示したのと同様の構成を備える。ここでは説明を省略する。
【００６２】
ホログラムプリンタ制御部１９は、複数ｘのホログラムプリンタ１８1，１８2・・・１８xの動作を制御する。画像処理部２０は、上記撮影系や外部データ受理部からの各種データに所定の画像処理を施す。これらのホログラムプリンタ制御部１９と画像処理部２０は、サーバーコンピュータによって形成されている。
【００６３】
このホログラムプリントシステム１０の動作について以下に説明する。今、上記複数ｎの撮影系及び複数ｍの外部データ受理部のうち、ある撮影系１台が画像を取り込んだとする。この撮影系は上記サーバーコンピュータと信号をやりとりし、サーバーコンピュータの画像処理部２０が画像を受け取れる状態になったら取り込んだ画像をサーバコンピュータの画像処理部２０へ転送する。このとき撮影系の撮影系制御部は、上記管理情報ファイルを作成し、画像情報ファイルと同時にその管理情報ファイルをサーバコンピュータへ送る。この管理情報ファイルは上述したような情報の他、複数の入力系を識別するために撮影装置番号や通し番号などを、画像を識別するために必要な情報に加えている。
【００６４】
この管理情報ファイルは、撮影系又は外部データ受理部がすべて内容を決めてしまっても良いし、サーバコンピュータが指定する識別番号を持つようにすることもできる。
【００６５】
画像を受け取ったサーバコンピュータの画像処理部２０は、上記図１に示した画像処理部４と同様に上記画像情報ファイルＦpと上記管理情報ファイルＦmとを合成してから、上記スライスアンドダイス法と言われる視点変換処理や、キーストン歪補正処理等の所定の画像処理を行い、合成画像ファイルＦsを出力する。
【００６６】
また、サーバコンピュータのホログラムプリンタ制御部１９はｘ台のホログラムプリンタのうち、プリント準備の整ったホログラムプリンタを探し、上記合成画像ファイルＦｓを送る。もちろん、サーバコンピュータの設定を変えれば送られてきた画像をどのプリンターで使うかの制御は任意の形で行うことができる。
【００６７】
サーバコンピュータのホログラムプリンタ制御部１９によって指定されたホログラムプリンタは送られてきた上記合成画像ファイルＦｓを元にホログラフィックステレオグラムをプリントアウトする。
【００６８】
特に、複数台の撮影系等とプリンタの存在するシステムでは、この管理情報ファイルの画像情報ファイルへの織り込みは有効である。
【００６９】
なお、この他の実施の形態となるホログラムプリントシステム１０でも、上述したように、右端から見たときのみ管理情報が見えるようにするだけでなく、左端から見たときだけ見えるようにしてもよい。
【００７０】
また、管理情報ファイルを静止画として提示する場合について説明したが、幾つかの情報が角度に応じて変化するようにしておくことも可能である。
【００７１】
また、画像処理部２０にてスライスアンドダイス画像処理前に画像情報ファイルＦｐと管理情報ファイルＦｍを合成する例を示したが、画像情報ファイルＦｐ、管理情報ファイルＦｍをそれぞれ独立にスライスアンドダイス画像処理を行った後に合成してもよい。
【００７２】
また、上記管理情報ファイルは、撮影系制御部のようなコンピュータ内のファイルである必要は必ずしもなく、例えば画像情報ファイルを記録したビデオテープ内に設けられている音声トラックに記録されている、テキストデータや他のデータを用いても良い。また、ビデオテープ内のタイムコードを画像に付随する管理情報ファイルとして活用してもよい。
【００７３】
【発明の効果】
本発明によれば、画像情報ファイルとそれに関する管理情報ファイルを合成し、視野角の端から観察したときのみ、管理情報ファイルの中身が見えるようにしたホログラフィックステレオグラムを提供できるので、プリントアウトしたホログラフィックステレオグラムの管理が容易となる。
【図面の簡単な説明】
【図１】本発明の実施の形態となるホログラムプリントシステムの構成を示すブロック図である。
【図２】管理情報ファイルのフォーマット図である。
【図３】上記ホログラムプリントシステムを構成する画像処理部で行われる画像合成方法を説明するための図である。
【図４】上記ホログラムプリントシステムによって生成されたホログラフィックステレオグラムの視野角と管理情報の見える範囲の関係を示す図である。
【図５】上記図４の各方向（Ａ），（Ｂ），（Ｃ），（Ｄ）から見たホログラフィックステレオグラムの視認状態を示す図である。
【図６】ホログラムプリンタの構成を示す図である。
【図７】本発明の他の実施の形態となるホログラムプリントシステムの構成を示すブロック図である。
【図８】ホログラフィックステレオグラムを作成する従来のシステムを説明するための図である。
【符号の説明】
１  ホログラムプリントシステム、２  撮影系、２ｃ  撮影系制御部、３ａ，３ｂ  伝送路、４  画像処理部、５  ホログラムプリンタ、１０  ホログラムプリンタシステム、１１  撮影系、１４  撮影系制御部、１８  ホログラムプリンタ、１９  ホログラムプリンタ制御部、２０  画像処理部
【図１】
0004501228.tif 000003
【図２】
0004501228.tif 000004
【図３】
0004501228.tif 000005
【図４】
0004501228.tif 000006
【図５】
0004501228.tif 000007
【図６】
0004501228.tif 000008
【図７】
0004501228.tif 000009
【図８】
0004501228.tif 000010